(57)【要約】【課題】  苗木保護カバー具を提供する。【解決手段】樹脂シートと、支柱とからなる苗木保護カバー具であって、前記樹脂シートは、両側部に前記樹脂シートの湾曲又は折曲により形成される筒体の形状を保持可能な複数の係止構造を備えるものであり、前記係止構造は、前記樹脂シートの一方の側部に設けられた係止部と、これに対向するもう一方の側部に設けられた該係止部と係合する被係止部からなるものであって、係合部分を前記支柱が通り抜け可能であることを特徴とする苗木保護カバー具。【選択図】図７
2018064477.tif 000002
【特許請求の範囲】
【請求項１】
樹脂シートと、支柱とからなる苗木保護カバー具であって、
前記樹脂シートは、両側部に前記樹脂シートの湾曲又は折曲により形成される筒体の形状を保持可能な複数の係止構造を備えるものであり、
前記係止構造は、前記樹脂シートの一方の側部に設けられた係止部と、これに対向するもう一方の側部に設けられた該係止部と係合する被係止部からなるものであって、係合部分を前記支柱が通り抜け可能であることを特徴とする苗木保護カバー具。
【請求項２】
前記係止部は、両側方の切り欠き部の形式により、該切り欠き部の縁より互いに近接するように延出された左右対の抑え部からなり、一方、前記被係止部は、略平行の２本の切れ込みにより形成された帯状部からなり、前記係止構造は、前記左右対の抑え部を該帯状部の下側に差し込むことにより係止される構造となっている、請求項１記載の苗木保護カバー具。
【請求項３】
前記係止部は、前記被係止部に引っ掛かり得る係止抑え部が形成された、略平行の２本の切れ込みにより形成される帯状部であり、前記被係止部は、前記係止抑え部が引っ掛かり得る切り欠き部と、前記帯状部の下側に差し込み得る被係止抑え部とを有し、前記係止抑え部は前記被係止部の切り欠き部に引っ掛かることで、前記筒体が周方向に拡径する動きを制止するように係止し、前記被係止抑え部は前記帯状部の下側に差し込まれ該帯状部を上方に押し上げて、前記筒体が周方向に縮径し次いで前記筒体が周方向に再度拡径する際に、前記係止抑え部が前記被係止部の切り欠き部に引っ掛かるように係止する、請求項１記載の苗木保護カバー具。
【請求項４】
前記樹脂シートには、更に支柱通し部が設けられ、該支柱通し部は、一方の側部に設けられた円形の切り欠き部と、これに対向するもう一方の側部の対応する箇所に設けられた、略平行の２つの切れ込みにより形成される帯状部からなり、複数の前記係止構造と一直線上に配され、該帯状部の下側の空間は前記支柱を挿通する通路となる、請求項１乃至請求項３の何れか１項に記載の苗木保護カバー具。
【請求項５】
前記樹脂シートは、下端縁にペグ挿入孔を有する据付け部を設けてなる請求項１乃至請求項４の何れか１項に記載の苗木保護カバー具。
【請求項６】
更なる支柱を備え、且つ、前記樹脂シートは、該更なる支柱を挿通するための更なる支柱通し部を有し、該更なる支柱通し部は、該樹脂シートの長さ方向中央部に設けられた複数の切込み又は切り欠き部からなる、請求項１乃至請求項５の何れか１項に記載の苗木保護カバー具。
【発明の詳細な説明】
【技術分野】
【０００１】
本発明は、山林等に植樹した苗木が、シカ、ウサギ、ネズミなどの動物に食べられること（獣害）を防止し、苗木がある程度成長するまで保護する、苗木保護カバー具に関する。
【背景技術】
【０００２】
従来より、山林等に植樹した苗木が、シカ、ウサギ、ネズミなどの動物に食べられたりすること（獣害）を防止するため、植樹した苗木がある程度生長するまで、両端面が開口した透明或いは半透明の筒状の苗木保護カバーを被せて育成する方法が採用されている。
【０００３】
この苗木保護カバーとして、合成樹脂製シートを所定形状に打ち抜くと同時に、所定箇所に折り目線を形成した所定形状の合成樹脂製シート体を当該折り目線形成箇所で折り曲げた後、所定箇所を固着して、断面が多角形となる両端が開口した筒状体とした苗木保護カバーが知られている（例えば、特許文献１、２等参照）。
また、上記の所定箇所の固着に代えて、合成樹脂製シートの両側部に係止部と被係止部とを配した苗木保護カバーも知られている（例えば、特許文献３等参照）。
【先行技術文献】
【特許文献】
【０００４】
【特許文献１】実用新案登録第３０７４１２７号公報
【特許文献２】実用新案登録第３０６１８６８号公報
【特許文献３】実用新案登録第３０６７３１３号公報
【発明の概要】
【発明が解決しようとする課題】
【０００５】
特許文献１、２に記載されるような断面形状が多角形となった苗木保護カバーは、折り目線に沿って二つ折りにすることで、運搬時に嵩張らないという利点はあるものの、製造時に折り目線を形成する工程や折り曲げる工程等を必要とするため手間がかかり、また、単に合成樹脂製シートを打ち抜いただけでは製造できないため大量生産には不向きであるといった問題があった。更には、苗木を植樹した箇所において該カバーを設置する際、現地でシートを折り曲げて断面が多角形となる筒状体を形成する必要があり、そのための時間と手間を要するという問題もあった。
一方、特許文献３に記載されるような苗木保護カバーは、シートの両側部が固着されないため、断面が円形となる筒状体であっても、運搬時は単なるシートを運搬するだけであるため嵩張ることはなく、また、製造時に折り目線を形成する工程や折り曲げる工程等を行うことは不要となり、また、単に合成樹脂製シートを打ち抜いただけで製造できるため大量生産に適し、更には、現地でシートを折り曲げることなく筒状体を形成できるため、作業が容易であるという点で優れている。
しかし、特許文献３に記載の苗木保護カバーにおける係止部と被係止部との係合は必ずしも十分なものとはいえず、そのため長期に亘って筒体の形状を維持することが困難であるという問題があった。
また、苗木保護カバーの多くは、筒状体を倒れ難くする支柱と一緒に苗木保護カバー具として提供されるものであるが、該支柱に筒状体を固定するために、別途、紐、結束バンド、固定リング等の固定具が必要となり、また、該固定具を用いて筒状体を固定する作業が必要となるため、作業が煩雑になり且つコスト高になるという問題がある。
【０００６】
従って、本発明は、上記の問題点を解消し得る、合成樹脂製シートの両側部に係止部と
被係止部とを配した樹脂シートと支柱とを備える苗木保護カバー具、即ち、係止部と被係止部との係合により長期に亘って筒体の形状を維持することができ且つ支柱に筒状体を固定するための固定具を必要としない苗木保護カバー具の提供を課題とする。
【課題を解決するための手段】
【０００７】
本発明者等は、上記課題を解決するために鋭意検討した結果、その両側部に係止部と被係止部とからなる係止構造が複数設けられた樹脂シートと、支柱とを備える苗木保護カバー具において、各係止構造を、支柱が通り抜け得る構造とすることで、支柱は複数の係止構造間を通り抜けることができ、これにより、筒体は固定具を用いることなしに支柱に固定することができ、また、各係止構造は、支柱が挿入されることで外れ難くなり、結果として、長期に亘って筒体の形状を維持し得ることを見出し、本発明を完成させた。
【０００８】
即ち、本発明は、
［１］
樹脂シートと、支柱とからなる苗木保護カバー具であって、
前記樹脂シートは、両側部に前記樹脂シートの湾曲又は折曲により形成される筒体の形状を保持可能な複数の係止構造を備えるものであり、
前記係止構造は、前記樹脂シートの一方の側部に設けられた係止部と、これに対向するもう一方の側部に設けられた該係止部と係合する被係止部からなるものであって、係合部分を前記支柱が通り抜け可能であることを特徴とする苗木保護カバー具、
［２］
前記係止部は、両側方の切り欠き部の形式により、該切り欠き部の縁より互いに近接するように延出された左右対の抑え部からなり、一方、前記被係止部は、略平行の２本の切れ込みにより形成された帯状部からなり、前記係止構造は、前記左右対の抑え部を該帯状部の下側に差し込むことにより係止される構造となっている、前記［１］記載の苗木保護カバー具、
［３］前記係止部は、前記被係止部に引っ掛かり得る係止抑え部が形成された、略平行の２本の切れ込みにより形成される帯状部であり、前記被係止部は、前記係止抑え部が引っ掛かり得る切り欠き部と、前記帯状部の下側に差し込み得る被係止抑え部とを有し、前記係止抑え部は前記被係止部の切り欠き部に引っ掛かることで、前記筒体が周方向に拡径する動きを制止するように係止し、前記被係止抑え部は前記帯状部の下側に差し込まれ該帯状部を上方に押し上げて、前記筒体が周方向に縮径し次いで前記筒体が周方向に再度拡径する際に、前記係止抑え部が前記被係止部の切り欠き部に引っ掛かるように係止する、前記［１］記載の苗木保護カバー具、
［４］前記樹脂シートには、更に支柱通し部が設けられ、該支柱通し部は、一方の側部に設けられた円形の切り欠き部と、これに対向するもう一方の側部の対応する箇所に設けられた、略平行の２つの切れ込みにより形成される帯状部からなり、複数の前記係止構造と一直線上に配され、該帯状部の下側の空間は前記支柱を挿通する通路となる、前記［１］乃至前記［３］の何れか１つに記載の苗木保護カバー具、
［５］前記樹脂シートは、下端縁にペグ挿入孔を有する据付け部を設けてなる前記［１］乃至前記［４］の何れか１つに記載の苗木保護カバー具、
［６］更なる支柱を備え、且つ、前記樹脂シートは、該更なる支柱を挿通するための更なる支柱通し部を有し、該更なる支柱通し部は、該樹脂シートの長さ方向中央部に設けられた複数の切込み又は切り欠き部からなる、前記［１］乃至前記［５］の何れか１つに記載の苗木保護カバー具、
に関する。
【発明の効果】
【０００９】
本発明により、合成樹脂製シートの両側部に係止部と被係止部とを配した樹脂シートと支柱とを備える苗木保護カバー具であって、該係止部と被係止部との係合により長期に亘
って筒体の形状を維持することができ且つ支柱に筒状体を固定するための固定具を必要としない苗木保護カバー具が提供される。
本発明の苗木保護カバー具は、支柱が、樹脂シートから形成される筒体を直接挿通して地面に固定されるため、軟らかいシートを用いた場合でも、該シートから形成された筒体は十分な保形性を有する。
また、本発明の苗木保護カバー具は、運搬時において単なるシートと支柱を運搬するだけであるため嵩張ることはなく、また、製造時に折り目線を形成する工程や折り曲げる工程等を行うことは不要となり、また、単に合成樹脂製シートを打ち抜いただけで製造できるため大量生産に適するため、作業効率及び製造コストの面において優れるものである。
更には、現地でシートを折り曲げることなく筒状体を形成できるため、作業が容易であるという点でも優れている。
【図面の簡単な説明】
【００１０】
【図１】係止構造の１態様（Ａ１）における係止機構並びに支柱通し部の１態様（Ｂ３）における機構を説明する図である。
【図２】係止構造の１態様（Ａ２）における係止機構を説明する図である。
【図３】係止構造の１態様（Ａ３）における係止機構を説明する図である。
【図４】係止構造の１態様（Ａ４）における係止機構を説明する図である。
【図５】支柱通し部の１態様（Ｂ１）における機構を説明する図である。
【図６】支柱通し部の１態様（Ｂ２）における機構を説明する図である。
【図７】実施例１の苗木保護カバー具を示す図であり、７Ａは苗木保護カバー具を構成する樹脂シートの平面図を示し、７Ｂは筒体の形状とした樹脂シートに支柱を挿通した際の外観図を示す。
【図８】実施例２の苗木保護カバー具を示す図であり、８Ａは苗木保護カバー具を構成する樹脂シートの平面図を示し、８Ｂは筒体の形状とした樹脂シートに支柱を挿通した際の外観図を示す。
【図９】実施例３の苗木保護カバー具を示す図であり、９Ａは苗木保護カバー具を構成する樹脂シートの平面図を示し、９Ｂは筒体の形状とした樹脂シートに支柱を挿通した際の外観図を示す。
【図１０】実施例４の苗木保護カバー具を示す図であり、１０Ａは苗木保護カバー具を構成する樹脂シートの平面図を示し、１０Ｂは筒体の形状とした樹脂シートに支柱を挿通した際の外観図を示す。
【発明を実施するための形態】
【００１１】
更に詳細に本発明を説明する。
本発明の苗木保護カバー具は、
樹脂シートと、支柱とからなる苗木保護カバー具であって、
前記樹脂シートは、両側部に前記樹脂シートの湾曲又は折曲により形成される筒体の形状を保持可能な複数の係止構造を備えるものであり、
前記係止構造は、前記樹脂シートの一方の側部に設けられた係止部と、これに対向するもう一方の側部に設けられた該係止部と係合する被係止部からなるものであって、係合部分を前記支柱が通り抜け可能であることを特徴とする。
【００１２】
本発明の苗木保護カバー具に使用し得る樹脂シートは、合成樹脂に、帯電防止剤、紫外線吸収剤、ヒンダードアミン系光安定剤、酸化防止剤、滑剤、ブロッキング防止剤、無機充填剤、着色剤等の各種添加剤を必要に応じて添加して得た合成樹脂組成物を、押出機のＴダイより押し出すなどして得た合成樹脂製シートを所定形状に打ち抜くことにより得ることができる。
【００１３】
上記の合成樹脂としては、特に限定されるものではないが、回収の必要がないことから
生分解性樹脂であることが好ましい。
使用し得る生分解性樹脂としては、特に限定されないが、例えば、ポリブチレンサクシネート、ポリブチレンサクシネートアジペート、ポリ乳酸、ポリエチレンサクシネート、ポリプロピオラクトン、ポリブチロラクトン、ポリバレロラクトン、ポリカプロラクトン、ポリヒドロキシブチレート、ポリヒドロキシバリレート、ポリヒドロキシブチレートバリレート、ブタンジオール・コハク酸・カプロラクトンの共重合体などの生分解性脂肪族ポリエステル、または、ポリブチレンアジペートテレフタレート、ポリテトラメチレンアジペートテレフタレートなどの生分解性脂肪族芳香族ポリエステル、あるいはこれらを２種以上組み合わせてなる生分解性樹脂を例として挙げることができる。
【００１４】
また、その他に用いうる合成樹脂としては、ポリプロピレン（ランダムポリプロピレン、ブロックポリプロピレン、シンジオタクチックポリプロピレン）、ポリエチレン（高密度ポリエチレン、中密度ポリエチレン、低密度ポリエチレン）、エチレンと共重合可能なモノマーとの共重合体であるエチレン系共重合体、ポリ塩化ビニル、オレフィン系モノマーと塩化ビニルモノマーとの共重合体、これらの混合物等が挙げられる。
【００１５】
本発明の苗木保護カバー具に使用し得る樹脂シートの厚さは、１００乃至１０００μｍの範囲とするのが好ましい。
本発明の苗木保護カバー具に使用し得る樹脂シートの大きさ（寸法）は、保護する苗木の大きさにより変わり得るものであるが、樹脂シートの高さは、１００乃至２００ｃｍの範囲が好ましく、１２５乃至１７５ｃｍの範囲がより好ましく、樹脂シートの幅は、３０乃至８０ｃｍの範囲が好ましく、４０乃至６０ｃｍの範囲がより好ましい。
また、樹脂シートより形成される筒体の断面形状は、円形又は多角形であり得るが、円形であるのが好ましい。
【００１６】
本発明の苗木保護カバー具は、樹脂シートの一方の側部及びこれに対向するもう一方の側部に各々対応する箇所に設けられた、前記樹脂シートの湾曲又は折曲により形成された筒体の形状を保持する複数の係止構造を備える。
１枚の樹脂シートに備えられ得る係止構造の数は、２ないし１０、好ましくは２ないし６である。
各係止構造は、支柱を挿通することが可能であり、そして、上述のように１枚の樹脂シートには複数の係止構造が備えられているため、支柱は、１つの係止構造が設けられた部位から筒体の内部に挿通され、次の係止構造が設けられた部位から筒体の外部に挿通され、そして、次の係止構造が設けられた部位から再び筒体の内部に挿通されるといった具合に、支柱が筒体の内部と外部を連続的に挿通することにより、支柱挿通路が形成されることとなる。
そして、上記の様に支柱が、係止構造が設けられた部位から筒体の内部と外部を連続的に挿通することで、各係止構造は外れ難くなり、また、樹脂シートとして軟らかいシートを用いた場合でも、該シートから形成された筒体は十分な保形性を有し得ることとなる。
【００１７】
本発明の苗木保護カバー具に使用し得る支柱としては、苗木保護カバーを固定するための支柱として使用されるものであれば特に限定されないが、例えば、一方の先端が尖った木、竹、合成樹脂、金属等からなる支柱を挙げることができる。
また、その長さは、筒体の高さより長いものであることが好ましく、また、その太さ（例えば、直径）は、０．５ｃｍ乃至２ｃｍ程度であり得る。
【００１８】
本発明の苗木保護カバー具に使用し得る係止構造としては、係合により樹脂シートを係止することができ且つ支柱を通し得るものであれば特に限定されないが、例えば、以下に示す、（Ａ１）乃至（Ａ４）の態様が挙げられる。
【００１９】
（Ａ１）樹脂シートの一方の側部において係止部、そしてもう一方の側部において該係止部と係合する被係止部を有する係止構造であって、
前記係止部は、両側方の切り欠き部の形式により、該切り欠き部の縁より互いに近接するように延出された左右対の抑え部からなり、一方、前記被係止部は、略平行の２本の切れ込みにより形成された帯状部からなり、前記係止構造は、前記左右対の抑え部を該帯状部の下側に差し込むことにより係止される構造となっている係止構造
【００２０】
（Ａ２）樹脂シートの一方の側部において係止部、そしてもう一方の側部において該係止部と係合する被係止部を有する係止構造であって、
前記係止部は、被係止部に引っ掛かり得る係止抑え部が形成された、略平行の２本の切れ込みにより形成される帯状部であり、前記被係止部は、前記係止抑え部が引っ掛かり得る切り欠き部と、前記帯状部の下側に差し込み得る被係止抑え部とを有し、前記係止抑え部は前記被係止部の切り欠き部に引っ掛かることで、前記筒体が周方向に拡径する動きを制止するように係止し、前記被係止抑え部は前記帯状部の下側に差し込まれ該帯状部を上方に押し上げて、前記筒体が周方向に縮径し次いで前記筒体が周方向に再度拡径する際に、前記係止抑え部が前記被係止部の切り欠き部に引っ掛かるように係止する係止構造
【００２１】
（Ａ３）樹脂シートの一方の側部において係止部、そしてもう一方の側部において該係止部と係合する被係止部を有する係止構造であって、
前記被係止部は、略半円形の切れ込みであり、前記係止部は前記略半円形と同じ大きさの略半円形の両側に抑え部が形成された形状の切れ込みにより形成される略半円形の両側に抑え部が形成された形状の片であり、該片を前記略半円形の切れ込みに挿入することで、前記合成樹脂シート体を係止する係止構造
【００２２】
（Ａ４）樹脂シートの一方の側部において係止部、そしてもう一方の側部において該係止部と係合する被係止部を有する係止構造であって、
前記被係止部は、直線状の切れ込みであり、前記係止部は略半円形の切れ込みにより形成される略半円形の片であり、該略半円形の片を前記直線状の切れ込みに挿入することで、前記合成樹脂シート体を係止する係止構造
【００２３】
前記係止構造の態様（Ａ１）ないし（Ａ４）における係止機構を、図を用いて説明する。
図１に前記係止構造の態様（Ａ１）における係止機構を示した。
樹脂シートの一方の側部には係止部１ａが形成され、樹脂シートのもう一方の側部には被係止部２ａが形成されており、ここで、被係止部２ａは、略平行の２本の切れ込み３、４により形成される帯状部５であり、係止部１ａは、両側方の切り欠き部６の形式により、該切り欠き部６の縁より互いに近接するように延出された２組の左右対の抑え部７からなる。
そして、樹脂シートを湾曲させて筒体の形状とした際、２組の左右対の抑え部７（計４つの抑え部７）を帯状部５の下側に差し込むことにより、前記合成樹脂シート体が係止される。
ここで、帯状部５は、その下側に抑え部７が４つ差しまれることで、強固に固定されることとなる。
そして、図１の１Ａで示されるように、支柱８が、帯状部５の下側及び切り欠き部６を通過して筒体内に挿通されることになる。
尚、係止構造の態様（Ａ１）は、以下でも説明するが、支柱通し部（支柱通し部の態様（Ｂ３））としても機能し得る。
【００２４】
図２に前記係止構造の態様（Ａ２）における係止機構を示した。
樹脂シートの一方の側部には係止部１ｂが形成され、樹脂シートのもう一方の側部には
被係止部２ｂが形成されており、ここで、係止部１ｂは、被係止部２ｂに引っ掛かり得る係止抑え部９が形成された、略平行の２本の切れ込み１０、１１により形成される帯状部１２であり、被係止部２ｂは、係止抑え部９が引っ掛かり得る切り欠き部１３と、帯状部１２の下側に差し込み得る被係止抑え部１４とを有している。
そして、樹脂シートを湾曲させて筒体の形状とした際、係止抑え部９を被係止部の切り欠き部１３に引っ掛けると、係止抑え部９は、筒体が周方向に拡径する動きを制止するように係止し、被係止抑え部１４は帯状部１２の下側に差し込まれ帯状部１２を上方に押し上げて、筒体が周方向に縮径し次いで筒体が周方向に再度拡径する際に、係止抑え部９が被係止部の切り欠き部１３に引っ掛かるように係止して係止部１ｂと被係止部２ｂとが外れることを抑制する。
そして、支柱８が、帯状部１２の下側及び切り欠き部１３を通過して筒体内に挿通されることになる。
【００２５】
図３に前記係止構造の態様（Ａ３）における係止機構を示した。
樹脂シートの一方の側部には係止部１ｃが形成され、樹脂シートのもう一方の側部には被係止部２ｃが形成されており、ここで、被係止部２ｃは、略半円形の切れ込み１８であり、係止部１ｃは前記略半円形と同じ大きさの略半円形の両側に抑え部１５が形成された形状の切れ込み１６により形成される略半円形の両側に抑え部が形成された形状の片１７である。
そして、樹脂シートを湾曲させて筒体の形状とした際、略半円形の両側に抑え部１５が形成された形状の片１７を略半円形の切れ込み１８に挿入することにより、前記樹脂シートが係止される。
そして、支柱８が、略半円形の両側に抑え部が形成された形状の片１７の下側を通過して筒体内に挿通されることになる。
尚、係止構造の態様（Ａ３）においては、係止部１ｃが被係止部２ｃの上になるように樹脂シートを重ね合せた場合と、被係止部２ｃが係止部１ｃの上になるように樹脂シートを重ね合せた場合の二つの場合が存在し、図３に示されているのは、被係止部２ｃが係止部１ｃの上に来るように樹脂シートを重ね合せた場合を示すものであり、各場合において、支柱８の筒体内への挿通の方向が逆となる。
【００２６】
図４に前記係止構造の態様（Ａ４）における係止機構を示した。
樹脂シートの一方の側部には係止部１ｄが形成され、樹脂シートのもう一方の側部には被係止部２ｄが形成されており、ここで、被係止部２ｄは、直線状の切れ込み１９であり、係止部１ｄは略半円形の切れ込み２０により形成される略半円形の片２１である。
そして、樹脂シートを湾曲させて筒体の形状とした際、略半円形の片２１を直線状の切れ込み１９に挿入することにより、前記合成樹脂シート体が係止される。
そして、支柱８が、直線状の切れ込み１９を通過して筒体内に挿通されることになる。
【００２７】
係止構造の具体的な態様は上記のとおりであるが、なかでも（Ａ１）あるいは（Ａ２）の構造が好ましい。
（Ａ１）の構造であれば、２組の左右対の抑え部により、強固に係止されるため、支柱を挿入する前あるいは支柱を挿入する際に係止が外れてしまうようなことがなく、作業性を損ねることがない。
また、（Ａ２）の構造であれば、筒体が周方向に拡径する動きあるいは筒体が周方向に縮径し次いで再度拡径する動きを抑制する働きがあるため、支柱を挿入する前あるいは支柱を挿入する際に係止が外れてしまうようなことがなく、作業性を損ねることがない。
【００２８】
本発明の苗木保護カバー具に用いる樹脂シートには、係止構造に加えて、支柱通し部を設けることができる。支柱通し部は係止構造と一直線上に配される。支柱通し部としては、支柱を通し得るものであれば特に限定されないが、例えば、以下に示す、（Ｂ１）ない
し（Ｂ３）の態様を挙げることができる。
【００２９】
（Ｂ１）樹脂シートの一方の側部に設けられた円形の切り欠き部と、これに対向するもう一方の側部の対応する箇所に設けられた、略平行の２つの切れ込みにより形成される帯状部からなり、該帯状部の下側の空間は支柱を挿通する通路となる支柱通し部
【００３０】
（Ｂ２）樹脂シートの一方の側部に設けられた円形の切り欠き部と、これに対向するもう一方の側部の対応する箇所に設けられた、略平行の２つの切れ込みにより形成され且つ前記円形の切り欠き部に引っ掛かり得る抑え部が形成された帯状部からなり、前記抑え部は前記円形の切り欠き部に引っ掛かることで、筒体が周方向に拡径する動きを制止するように係止し、前記帯状部の下側の空間は支柱を挿通する通路となる支柱通し部
【００３１】
（Ｂ３）樹脂シートの一方の側部に設けられた略平行の２つの切れ込みにより形成される帯状部と、これに対向するもう一方の側部の対応する箇所に設けられた、前記帯状部の下側に差し込み得る抑え部が設けられた切り欠き部からなり、前記係止部の前記抑え部を前記帯状部の下側に差し込むことで、前記合成樹脂シート体を係止し、前記帯状部の下側の空間は支柱を挿通する通路となる支柱通し部（係止構造の態様（Ａ１）と実質的に同じ構成）
【００３２】
前記支柱通し部の態様（Ｂ１）ないし（Ｂ３）を、図を用いて説明する。
図５に前記支柱通し部の態様（Ｂ１）を示した。
樹脂シートの一方の側部には円形の切り欠き部２２が形成され、樹脂シートのもう一方の側部には略平行の２つの切れ込み２３、２４により形成される帯状部２５が形成されている。
そして、樹脂シートを湾曲させて筒体の形状とした際、支柱８が、帯状部２５の下側に通され、これにより、筒体形状の安定性を向上させることができる。
【００３３】
図６に前記支柱通し部の態様（Ｂ２）を示した。
樹脂シートの一方の側部には円形の切り欠き部２６が形成され、樹脂シートのもう一方の側部には円形の切り欠き部２６に引っ掛かり得る抑え部２９が形成された略平行の２つの切れ込み２７、２８により形成される帯状部３０が形成されている。
そして、樹脂シートを湾曲させて筒体の形状とした際、支柱８が、帯状部３０の下側に通され、これにより、筒体形状の安定性を向上させることができ、また、抑え部２９を円形の切り欠き部２６に引っ掛けると、抑え部２９は、筒体が周方向に拡径する動きを制止するように係止することができる。
【００３４】
上述したように支柱通し部の態様（Ｂ３）は、実質的に係止構造の態様（Ａ１）と同じであり、そして、図１の１Ｂで示されるように、支柱８が、帯状部５の下側を挿通し、これにより、前記合成樹脂シート体を係止すると同時に筒体形状の安定性を向上させることができる。
【００３５】
本発明の苗木保護カバー具に用いる樹脂シートには、通風孔を設けておくのが好ましい。
通風孔を設けることにより、筒体内の温度や湿度の上昇を抑えて、外気温との差を小さくすることができ、それにより、苗木の生長が妨げられるか又は枯れてしまうようなケースを減少させることができる。
通風孔は、例えば、樹脂シートに形成された複数の円形又は多角形の切り欠き部であり得る。
【００３６】
本発明の苗木保護カバー具に用いる樹脂シートは、該シートの下端縁にペグ挿入孔を有
する据付け部を設けることができる。
樹脂シートの下端をペグで押さえることにより、筒体が風を受けても回転するようなことがないため、筒体の回転によって生じる苗木の枝葉の傷つきを防止することができる。
【００３７】
本発明の苗木保護カバー具には、更なる支柱を備え、且つ、樹脂シートには、該更なる支柱を挿通するための更なる支柱通し部を有する態様も含まれる。
上記更なる支柱通し部は、樹脂シートの長さ方向中央部に設けられた、支柱を挿通し得る複数の切込み又は切り欠き部であり得る。
複数の支柱を用いると筒体が確実に地面に固定されるため、筒体が風を受けても回転するようなことがなく、筒体の回転によって生じる苗木の枝葉の傷つきを防止することができる。
【００３８】
本発明の苗木保護カバー具に用いる樹脂シートは、合成樹脂に、帯電防止剤、紫外線吸収剤、ヒンダードアミン系光安定剤、酸化防止剤、滑剤、ブロッキング防止剤、無機充填剤、着色剤等の各種添加剤を必要に応じて添加して得た合成樹脂組成物を、押出機のＴダイより押し出すなどして得た合成樹脂製シートを、上記した係止構造（複数）、任意の支柱通し部、任意の通風孔、任意の据付け部、任意の更なる支柱を挿通するための更なる支柱通し部等が設けられた所定の形状に打ち抜くことにより製造することができる。
また、樹脂シートより形成される筒体の断面形状が多角形となる場合は、上記で製造された所定の形状のシートに、折り目線を形成することで達成される。
【００３９】
本発明の苗木保護カバー具の現地での設置は、上記で製造された所定の形状のシートを湾曲させて断面形状が円形の筒体を形成するか又は折り目線で折曲させて断面形状が多角形の筒体を形成し、複数の係止構造によりシートを係止して苗木に被せ、複数の係止構造と、存在する場合は支柱通し部に支柱を挿通して地面に固定することにより、また、更なる支柱を挿通するための更なる支柱通し部が存在する場合は、更なる支柱を該支柱通し部に挿通することにより、また、据付け部が存在する場合は、ペグ挿入孔にペグを挿入して地面に固定することにより達成される。
【実施例】
【００４０】
次に、本発明を実施例により更に詳細に説明するが、本発明は実施例に限定されるものではない。
実施例１
合成樹脂製シートを、図７の７Ａに示される所定の形状、即ち、据付け部３２（直径１ｃｍのペグ挿入孔３３が設けられた幅６ｃｍ、高さ３ｃｍの片）が設けられた高さ１５０ｃｍ、幅５０ｃｍのシートであって、該シート一方の側部及びこれに対向するもう一方の側部に、係止構造の態様（Ａ１）、係止構造の態様（Ａ３）、支柱通し部の態様（Ｂ３：係止構造の態様（Ａ１））、係止構造の態様（Ａ３）及び係止構造の態様（Ａ１）がこの順で設けられ、４２個の直径１．５ｃｍの通風孔３１が３列（１列当り１４個）で設けられた所定の形状のシートに打ち抜くことにより、実施例１の苗木保護カバー具における樹脂シートを製造した。
【００４１】
上記で製造した樹脂シートと支柱とを備える実施例１の苗木保護カバー具を、図７の７Ｂに示されるようにして設置した。即ち、上記で製造した樹脂シートを湾曲させ且つ複数の係止構造（（Ａ１）２箇所、（Ａ３）２箇所）及び支柱通し部の態様（Ｂ３：係止構造の態様（Ａ１））で係止して断面形状が円形の筒体を形成し、支柱８を、係止構造の態様（Ａ１）、係止構造の態様（Ａ３）、支柱通し部の態様（Ｂ３：係止構造の態様（Ａ１））、係止構造の態様（Ａ３）及び係止構造の態様（Ａ１）の順で挿通して地面に固定し、更に、補強のために、据付け部３２のペグ挿入孔３３にペグを挿入して地面に固定した。
【００４２】
実施例２
合成樹脂製シートを、図８の８Ａに示される所定の形状、即ち、据付け部３２（直径１ｃｍのペグ挿入孔３３が設けられた幅６ｃｍ、高さ３ｃｍの片）が設けられた高さ１５０ｃｍ、幅５０ｃｍのシートであって、該シートの一方の側部及びこれに対向するもう一方の側部に、係止構造の態様（Ａ２）、係止構造の態様（Ａ３）、支柱通し部の態様（Ｂ２）、係止構造の態様（Ａ３）及び係止構造の態様（Ａ２）がこの順で設けられ、２８個の直径１．５ｃｍの通風孔３１が２列（１列当り１４個）で設けられた所定の形状のシートに打ち抜くことにより、実施例２の苗木保護カバー具における樹脂シートを製造した。
【００４３】
上記で製造した樹脂シートと支柱とを備える実施例２の苗木保護カバー具を、図８の８Ｂに示されるようにして設置した。即ち、上記で製造した樹脂シートを湾曲させ且つ複数の係止構造（（Ａ２）２箇所、（Ａ３）２箇所）及び支柱通し部の態様（Ｂ２）の抑え部で係止して断面形状が円形の筒体を形成し、支柱８を、係止構造の態様（Ａ２）、係止構造の態様（Ａ３）、支柱通し部の態様（Ｂ２）、係止構造の態様（Ａ３）及び係止構造の態様（Ａ２）の順で挿通して地面に固定し、更に、補強のために、据付け部３２のペグ挿入孔３３にペグを挿入して地面に固定した。
【００４４】
実施例３
合成樹脂製シートを、図９の９Ａに示される所定の形状、即ち、据付け部３２（直径１ｃｍのペグ挿入孔３３が設けられた幅６ｃｍ、高さ３ｃｍの片）が設けられた高さ１５０ｃｍ、幅５０ｃｍのシートであって、該シートの一方の側部及びこれに対向するもう一方の側部に、係止構造の態様（Ａ３）、係止構造の態様（Ａ３）、支柱通し部の態様（Ｂ１）、係止構造の態様（Ａ３）及び係止構造の態様（Ａ３）がこの順で設けられ、２８個の直径１．５ｃｍの通風孔３１が２列（１列当り１４個）で設けられた所定の形状のシートに打ち抜くことにより、実施例３の苗木保護カバー具における樹脂シートを製造した。
【００４５】
上記で製造した樹脂シートと支柱とを備える実施例３の苗木保護カバー具を、図９の９Ｂに示されるようにして設置した。即ち、上記で製造した樹脂シートを湾曲させ且つ複数の係止構造（（Ａ３）４箇所）で係止して断面形状が円形の筒体を形成し、支柱８を、係止構造の態様（Ａ３）、係止構造の態様（Ａ３）、支柱通し部の態様（Ｂ１）、係止構造の態様（Ａ３）及び係止構造の態様（Ａ３）の順で挿通して地面に固定し、更に、補強のために、据付け部３２のペグ挿入孔３３にペグを挿入して地面に固定した。
【００４６】
実施例４
合成樹脂製シートを、図１０の１０Ａに示される所定の形状、即ち、高さ１５０ｃｍ、幅５０ｃｍのシートであって、該シートの一方の側部及びこれに対向するもう一方の側部に、係止構造の態様（Ａ４）、係止構造の態様（Ａ４）、係止構造の態様（Ａ４）及び係止構造の態様（Ａ４）がこの順で設けられ、２８個の直径１．５ｃｍの通風孔３１が２列（１列当り１４個）で設けられた所定の形状のシートに打ち抜くことにより、実施例４の苗木保護カバー具における樹脂シートを製造した。
【００４７】
上記で製造した樹脂シートと支柱とを備える実施例４の苗木保護カバー具を、図１０の１０Ｂに示されるようにして設置した。即ち、上記で製造した樹脂シートを湾曲させ且つ複数の係止構造（（Ａ４）４箇所）で係止して断面形状が円形の筒体を形成し、支柱８を、係止構造の態様（Ａ４）、係止構造の態様（Ａ４）係止構造の態様（Ａ４）及び係止構造の態様（Ａ４）の順で挿通して地面に固定した。
【符号の説明】
【００４８】
１ａ、１ｂ、１ｃ、１ｄ：係止部、２ａ、２ｂ、２ｃ、２ｄ：被係止部、３、４：切れ込み、５：帯状部、６：切り欠き部、７：抑え部、８：支柱、９：係止抑え部、１０、１１
：切れ込み、１２：帯状部、１３：切り欠き部、１４：被係止抑え部、１５：抑え部、１６：切れ込み、１７：略半円形の両側に抑え部が形成された形状の片、１８：略半円形の切れ込み、１９：直線状の切れ込み、２０：略半円形の切れ込み、２１：略半円形の片、２２：円形の切り欠き部、２３、２４：切れ込み、２５：帯状部、２６：円形の切り欠き部、２７、２８：切れ込み、２９：抑え部、３０：帯状部、３１：通風孔、３２：据付け部、３３：ペグ挿入孔
【図１】
2018064477.tif 000003
【図２】
2018064477.tif 000004
【図３】
2018064477.tif 000005
【図４】
2018064477.tif 000006
【図５】
2018064477.tif 000007
【図６】
2018064477.tif 000008
【図７】
2018064477.tif 000009
【図８】
2018064477.tif 000010
【図９】
2018064477.tif 000011
【図１０】
2018064477.tif 000012